(57)【特許請求の範囲】
【請求項１】
建築物の壁体の一つの側面上部に当接し、複数の固定ボルトを前記側面上部に打ち込んで固定される第１の取付け部と、この第１の取付け部の下部から垂直に突出して梁を下面から支持する梁受け部と、前記梁の横方向への移動を規制する規制部とを備え、
前記複数の固定ボルトを打ち込む前記第１の取付け部の打ち込み位置を、斜め上下方向に十分に離間した位置のみに設定したことを特徴とする梁受け金物。
【請求項２】
前記第１の取付け部の裏面と、この裏面に当接する前記一つの側面上部とに、前記第１の取付け部の位置決めを行う位置決め手段を設けたことを特徴とする請求項１記載の梁受け金物。
【請求項３】
建築物の壁体の一つの側面上部に当接し、複数の固定ボルトを打ち込んで前記一つの側面上部に固定される第２の取付け部、この第２の取付け部の下部から垂直に突出して梁を下面から支持する梁受け部及び前記梁の横方向への移動を規制する規制部を備えた第１の梁受けと、
前記一つの側面上部に隣接する他の側面上部に当接し、複数の固定ボルトを打ち込んで前記他の側面上部に固定される第３の取付け部、この第３の取付け部の下部から垂直に突出して他の梁を下面から支持する梁受け部及び前記梁の横方向への移動を規制する規制部を備えた第２の梁受けとを備え、前記第２の取付け部及び第３の取付け部の前記複数の固定ボルトを打ち込む打込み位置を、両者とも同一方向の斜め上下方向に十分に離間した位置に設定したことを特徴とする梁受け金物。
【請求項４】
前記第２及び第３の取付け部の裏面と、これらの裏面に当接する前記一つの側面上部及び他の側面上部とに、前記第２及び第３の取付け部の位置決めを行う位置決め手段を設けたことを特徴とする請求項３記載の梁受け金物。
【請求項５】
前記位置決め手段を、前記側面上部に設けた少なくとも２箇所の凹部と、前記取付け部が正しい位置にセットされたときに前記凹部に嵌まり込む前記裏面に設けた少なくとも２箇所の凸部とで構成したことを特徴とする請求項２又は４に記載の梁受け金物。
【請求項６】
請求項１、２或いは５記載の梁受け金物と、請求項３、４或いは５記載の梁受け金物とを使用して壁の側面上部に対して３方向から梁を接合する構造であって、
前記第１、第２及び第３の取付け部の前記複数の固定ボルトを打ち込む打込み位置を、３者とも同一方向の斜め上下方向に十分に離間した位置に設定し、前記第１の取付け部を前記建築物の壁体の一つの側面上部に当接し、前記第２及び第３の取付け部を前記建築物の壁体の他の２つの側面上部に当接し、各取付け部に複数の固定ボルトを打ち込んで対応する側面上部に固定したことを特徴とする梁受け金物を使用した梁と壁との接合構造。
【発明の詳細な説明】
【発明の属する技術分野】
この発明は、木造住宅において、梁を壁に接合するために使用される梁受け金物及びこれを使用した梁と壁との接合構造に関する。
【背景の技術】
図８に示すものは、梁受け金物を使用した梁と壁との接合構造を示すものである。符号２で示す梁受け金物は、逆Ｌ字形の取付け部４と、この取付け部４の下部を折曲して梁を下面から支持する梁受け部６と、取付け部４の下部及び梁受け部６その側縁に固定されて梁９の横移動を規制する規制部８とを備えている。
この梁受け金物２を壁１０の上部に取り付ける際には、壁１０の側面上部に補強合板１２を固定しておき、この補強合板１２の上面に天板４ａを載せ、その側面に垂直板４ｂが当接するように取り付け部４を配置し、取り付け部４側から補強合板１２を介して壁１０内に複数の固定ボルト１４を打ち込むことにより梁受け金物２を固定している。
【発明が解決しようとする課題】
しかしながら、梁受け金物２は壁１０の高い位置（上部）に固定しなければならないので、ズレなどを無くして精度良く、簡単に固定することが難しい。
また、上記構造によると、梁受け金物２を取り付ける場所毎に壁１０に補強合板１２を固定しなければならないので、部品点数が増えて梁の組み付けにかかる手間が増大してしまう。また、上記構造を吹き抜け部分に採用すると、梁受け合板１２が室内側に露出するので、部材どうしの納まりの面で問題がある。
また、一つの壁１０に対して互いに直角の２方向、或いは３方向から梁９が接合する場合があるが、壁１０の上部に固定する補強合板１２の取り合いが難しいので、容易に２方向、３方向からの梁９を壁１０に接合することができない。
そこで、梁受け合板１２を使用せず、取り付け部４の天板４ａを壁１０の上面に載せ、壁１０の側面上部に垂直板４ｂを当接し、直接、梁受け金物２を壁１０に固定することが考えられるが、そのようにすると、天板４ａの厚みによって段差が生じないように壁１０の上面に切り欠きを設けなければならず、やはり梁９の組み付け作業の手間が増えてしまう。
また、梁受け金物２を直接壁１０に固定して梁９の重量を壁１０が支持するようにすると、複数の固定ボルト１４を互いに近い間隔で打ち込んだ場合（例えば図８では上下の固定ボルト１４の間隔が近い）には、固定ボルト１４を打ち込んだボルト穴の周囲の部分に割れ等の損傷が生じやすく、梁９の吊り強度が低下しやすい。
本発明は上記事情に鑑みてなされたものであり、梁の吊り強度を増大させて壁の上部に固定することができ、しかも、壁の上部に簡単に精度良く固定することができる梁受け金物を提供するとともに、部品点数を少なくし、梁の接合のための壁の加工を無くして組み付けにかかる手間を削減し、しかも、一つの壁に対して互いに直角の２方向、或いは３方向からの梁の接合を容易に行うことができる梁受け金物を使用した梁と壁との接合構造を提供することを目的としている。
【課題を解決するための手段】
上記課題を解決するために、本発明に係る第１のタイプの梁受け金物は、建築物の壁体の一つの側面上部に当接し、複数の固定ボルトを打ち込んで側面上部に固定される第１の取付け部と、この第１の取付け部の下部から垂直に突出して梁を下面から支持する梁受け部と、梁の横方向への移動を規制する規制部とを備え、複数の固定ボルトを打ち込む第１の取付け部の打込み位置を、斜め上下方向に十分に離間した位置のみに設定した。
この発明によると、従来構造にような補強合板を使用していないので、部品点数が減少する。また、梁受け金物には壁の上面に載る天板も存在しないので、壁の上面に切り欠きを設けるような作業が不要となる。したがって、梁の組み付けにかかる手間を削減することができる。そして、本発明の構造を吹き抜け部分に採用しても、室内側に露出する部材が存在しないので、部材どうしの納まりを良好にすることができる。
また、第１の取付け部の打込み位置を、斜め上下方向に十分に離間した位置のみに設定しているので、固定ボルトを打ち込んだボルト穴の周囲の部分に割れ等の損傷が生じにくく、梁の吊り強度を充分に確保することができる。
また、第２のタイプの梁受け金物として、建築物の壁体の一つの側面上部に当接し、複数の固定ボルトを打ち込んで一つの側面上部に固定される第２の取付け部、この第２の取付け部の下部から垂直に突出して梁を下面から支持する梁受け部及び梁の横方向への移動を規制する規制部を備えた第１の梁受けと、一つの側面上部に隣接する他の側面上部に当接し、複数の固定ボルトを打ち込んで他の側面上部に固定される第３の取付け部、この第３の取付け部の下部から垂直に突出して他の梁を下面から支持する梁受け部及び梁の横方向への移動を規制する規制部を備えた第２の梁受けとを備え、第２の取付け部及び第３の取付け部の複数の固定ボルトを打ち込む打込み位置を、両者とも同一方向の斜め上下方向に十分に離間した位置に設定することも考えられる。
このようにすると、壁に２方向から梁を接合する場合であっても、上述した発明と同様に、梁の組み付けにかかる手間を削減することができるとともに、梁の吊り強度を充分に確保することができる。
また、取付け部の裏面と、この裏面に当接する側面上部とに、取付け部の位置決めを行う位置決め手段を設けることが考えられる。
このようにすると、梁受け金物を精度良く、簡単に壁の上部に固定することができる。
そして、位置決め手段を、側面上部に設けた少なくとも２箇所の凹部と、取付け部が正しい位置にセットされたときに凹部に嵌まり込む裏面に設けた少なくとも２箇所の凸部とで構成すると、取付け部の位置決め動作を簡単に行うことができる。
また、本発明に係る梁受け金物を使用した梁と壁との接合構造は、前述した第１のタイプの梁受け金物と、第２のタイプの梁受け金物とを使用して壁の側面上部に対して３方向から梁を接合する構造であって、第１、第２及び第３の取付け部の複数の固定ボルトを打ち込む打込み位置を、３者とも同一方向の斜め上下方向に十分に離間した位置に設定し、第１の取付け部を建築物の壁体の一つの側面上部に当接し、第２及び第３の取付け部を壁体の他の２つの側面上部に当接し、各取付け部に複数の固定ボルトを打ち込んで対応する側面上部に固定する。
このようにすると、３方向から固定ボルトを壁に打ち込んでも、壁内部で交錯する固定ボルトが存在しない。したがって、３方向から梁を壁に接合する場合であっても、梁受け金物を容易に且つ確実に壁に固定することができる。
【発明の実施の形態】
以下、本発明の実施形態を図面を参照して説明する。
図１は、本発明に係る第１実施形態の梁受け金物２０を示す正面図であり、図２は、梁受け金物２０を左側面から示した図である。なお、図８に示した構成と同一構成部分には、同一符号を付してその説明を省略する。
本実施形態の梁受け金物２０は、取付け部としての平板状の取付け板２２と、この取付け板２２の下部から垂直に突出している梁受け部としての梁受け板２４と、梁受け板の２４の端部から互いに平行に立ち上がっている規制部としての一対の規制板２６とを備えている。ここで、前記取付け板２２は、本発明の請求項１に記載した第１の取付け部に相当している。
そして、梁受け板２４及び一対の規制板２６は、板材をコ字状に折曲し部材であって、取付け板２２に溶接等により固定されている。
また、取付け板２２の上部には、２箇所の打ち込み位置決め細孔２８、３０と、ガイド部材挿入用孔３２、３４が穿設されている。すなわち、取付け板２２の上部の一方の面に仮想四角形を符号Ｓで描くと、２箇所の打ち込み位置決め細孔２８、３０は、仮想四角形Ｓの左下の角と右上の角の二カ所、つまり、右上がりに傾斜した方向に離間して穿設されている。また、ガイド部材挿入用孔３２、３４は、仮想四角形Ｓの左上の角と右下の角の２箇所、つまり、右下がりに傾斜した方向に離間して穿設されている。
そして、ガイド部材挿入用孔３２、３４には、取付け板２２の裏面から突出するように筒状のガイド部材３６、３８が圧入されている。
次に、図３は、本実施形態の梁受け金物２０を使用した梁９と壁１０と接合手順を示す図である。
この接合構造では、壁１０の少なくとも一方の面方向の側面上部の、梁受け金物２０を取り付ける正位置のガイド部材３６、３８に対応する位置に、２箇所の挿入孔４０、４２を形成している。なお、ガイド部材３６、３８及び挿入孔４０、４２が、本発明の請求項２、４、５に記載した位置決め手段に相当している。
そして、梁受け金物２０を壁１０の上部に固定する際には、先ず、取り付け板２２から突出しているガイド部材３６、３８を壁１０の２箇所の挿入孔４０、４２内に挿入する。そして、取り付け板２２の裏面を壁１０の側面上部に当接させた後、２箇所の打ち込み位置決め細孔２８、３０に、固定ボルトとしてのスクリューボルト４４の先端を合わせ、それらスクリューボルト４４を壁１０内部に打ち込んでいく。そして、壁１０に固定した梁受け金物２０の梁受け板２４上に梁９を載せ、一対の規制板２６で梁９の横移動を規制する。そして、図示しないが、一対の規制板２６から梁９内に延在するように固定用釘を打ち込んでいく。
本実施形態によると、梁受け金物２０を壁１０に固定する際には、壁１０に設けた２箇所の挿入孔４０、４２内に取付け板２２の裏面から突出したガイド部材３６、３８を挿入して梁受け金物２０の位置決めを行っているので、梁受け金物２０を精度良く、簡単に壁１０の上部に固定することができる。
そして、従来構造にような補強合板を使用していないので、部品点数が減少する。また、梁受け金物２０には壁１０の上面に載る天板も存在しないので、壁１０の上面に切り欠きを設けるような作業が不要となる。したがって、梁の組み付けにかかる手間を削減することができる。そして、本実施形態の構造を吹き抜け部分に採用しても、室内側に露出する部材が存在しないので、部材どうしの納まりを良好にすることができる。
さらに、本実施形態では、梁受け金物２０を、壁１０の上部に固定して梁９の重量を壁１０が直接支持するようにしているが、２本のスクリューボルト４４は、右上がりに傾斜した方向に充分に離間して打ち込まれているので、スクリューボルト４４を打ち込んだボルト穴の周囲の部分に損傷が生じにくく、梁９の吊り強度を充分に確保することができる。
次に、図４は、本発明に係る第２実施形態の梁受け金物５０を示す正面図であり、図５は、梁受け金物５０を左側面から示した図であり、図６は、図４の梁受け金物５０を平面視で示した図である。なお、本実施形態においても、第１実施形態と同一構成部分には、同一符号を付してその説明を省略する。
本実施形態の梁受け金物５０は、第１の梁受け５２と、この第１の梁受け５２の側部の直角方向に連結した第２の梁受け５４とを備えている。
第１の梁受け５２は、第１実施形態と同様に、平板状の取付け板２２と、梁受け板２４と、一対の規制板２６とを備えているとともに、取付け板２２の上部に、右上がりに傾斜した方向に離間して２箇所の打ち込み位置決め細孔２８、３０が穿設され、取付け板２２の裏面に、右下がりに傾斜した方向に離間して２個のガイド部材３６、３８が突出している。
また、第２の梁受け５４も、第１の梁受け５２と同様の形状と配置で、平板状の取付け板２２、梁受け板２４、一対の規制板２６、打ち込み位置決め細孔２８、３０及びガイド部材３６、３８が設けられている。
ここで、第１の梁受け５２の取付け板２２は、本発明の請求項３に記載した第２の取付け部に相当し、第２の梁受け５４の取付け板２２は、本発明の請求項３に記載した第３の取付け部に相当している。
次に、図７は、第１実施形態の梁受け金物２０及び第２実施形態の梁受け金物５０を使用して、壁１０の面方向の側面上部と幅方向の側面上部の３方向に梁９を接合した状態を示すものである。
この図において、斜線の矢印Ｙａは、上方位置の打ち込み位置決め細孔２８を通過して壁１０内部に打ち込んだスクリューボルト４４を示し、白抜きの矢印Ｙｂは、下方位置の打ち込み位置決め細孔３０を通過して壁１０内部に打ち込んだスクリューボルト４４を示している。
この図から明らかなように、梁受け金物２０及び梁受け金物５０は、それぞれの取付け板２２の打ち込み位置決め細孔２８、３０を右上がりに傾斜した方向に離間して設けたので、３方向からスクリューボルト４４を打ち込んでも、壁１０内部で交錯するスクリューボルト４４が存在しない。したがって、３方向から梁９を壁１０に接合する場合であっても、梁受け金物２０及び梁受け金物５０を容易に且つ確実に壁１０に固定することができる。
また、第２実施形態の梁受け金物５０は、第１実施形態の梁受け金物２０と同様の作用効果も得ることもできる。
なお、図７の３方向からの梁９の接合に限らず、１個の梁受け金物５０或いは２個の梁受け金物２０を使用して壁１０に２方向から梁９を接合する場合であっても、図７で説明した効果と同様に、壁１０内部で交錯するスクリューボルト４４が存在せず、梁受け金物５０或いは梁受け金物２０を容易に且つ確実に壁１０に固定することができる。
【発明の効果】
以上説明したように、本発明の梁受け金物によると、梁の吊り強度を増大させて壁の上部に固定することができ、しかも、壁の上部に簡単に精度良く固定することができることができる。
また、本発明の梁受け金物を使用した梁と壁の接合構造によると、部品点数を少なくし、梁の接合のための壁の加工を無くして組み付けにかかる手間を削減し、しかも、一つの壁に対して互いに直角の２方向、或いは３方向からの梁の接合を容易に行うことができる。
【図面の簡単な説明】
【図１】本発明に係る第１実施形態の梁受け金物を示す正面図である。
【図２】第１実施形態の梁受け金物を示す側面図である。
【図３】第１実施形態の梁受け金物を使用した梁と壁の接合構造を示す図である。
【図４】本発明に係る第２実施形態の梁受け金物を示す正面図である。
【図５】第２実施形態の梁受け金物を示す側面図である。
【図６】第２実施形態の梁受け金物を示す平面図である。
【図７】壁に対して３方向から梁を接合する際の固定ボルトの打ち込み方向を示す図である。
【図８】従来の梁受け金物を使用した梁と壁の接合構造を示す図である。
【符号の説明】
９    梁
１０  壁体
２０、５０  梁受け金物
２２  取付け板（取付け部）
２４  梁受け板（梁受け部）
２６  規制板（規制部）
３６、３８  ガイド部材（凸部）
４０、４２  挿入孔（凹部）
４４  スクリューボルト（固定ボルト）
５２  第１の梁受け
５４  第２の梁受け
【図１】
0004124927.tif 000002
【図２】
0004124927.tif 000003
【図３】
0004124927.tif 000004
【図４】
0004124927.tif 000005
【図５】
0004124927.tif 000006
【図６】
0004124927.tif 000007
【図７】
0004124927.tif 000008
【図８】
0004124927.tif 000009